(57)【要約】【課題】  ゴルフ、野球、テニス等のボールゲームやバドミントン等のゲームの際に着用してシャープなスイングを可能にするスポーツ用手袋を提供する。【解決手段】  スポーツ用手袋１は、掌のくぼみに相当する手袋主体２の平らな部分に基布４に取り付けたパッド３を縫い付けたもので、このスポーツ用手袋１を着用してスポーツ用具の把手を握ると、手袋主体２に止着したパッド３が人の掌の中央にあるくぼみに接してゴルフの際のクラブシャフト、野球のバット、テニスやバドミントンにおけるラケット等のグリップが確実になり、滑りを無くしてスイングに安定感が増し、ボールの弾道、方向性、飛距離等を著しく伸ばすことが可能となる。【選択図】図１
2005080743.tif 000002
【特許請求の範囲】
【請求項１】
掌の中央部位のくぼみに相当する手袋の平らな部分に、中央に向けて球面状に隆起したパッドを止着してなることを特徴とするスポーツ用手袋。
【請求項２】
前記パッドはエラストマー性物質で構成していることを特徴とする請求項１記載のスポーツ用手袋。
【発明の詳細な説明】
【技術分野】
【０００１】
本発明は、ゴルフ、野球、テニスなどのボールゲームやバドミントンなどのゲームの際に着用して打球等のための用具を的確にグリップすることによって優れたスイングを可能にするためのスポーツ用手袋に関するものである。
【背景技術】
【０００２】
一般にゴルフクラブ、野球のバット、テニスラケットあるいはバドミントンのラケットなどのスイングには手袋が着用されており、これらの手袋は薄く柔らかな皮や布の素材によってできるだけ手にぴったりとフィットするように作られている。
【０００３】
かゝる通常のスポーツ用手袋に対し、以下の特許文献が存在している。
【特許文献１】登録実用新案第３０３８９０２号  上記特許文献１には、手袋の掌面にシリコンを印刷した滑り防止手段を形成してゴルフや野球に使用する用具の汗や湿気による握りを改善した運動用手袋を開示している。
【特許文献２】特公表２００２−５０８４５５号公報  特許文献２には、別々に切断した親指内側片と親指の甲側片とを含む掌片と手の甲片とを、人間の手にフィットするように縫い付けた手袋の、掌片と親指内側片が二種類のシリコン弾性シーラントで印刷され、熱処理後に人造皮革の繊維に浸潤された含浸ポリウレタン人造皮革により平滑面を形成してなる競技用手袋を開示している。
【特許文献３】特開平１１−１７８９７３号公報  また、特許文献３は、天然または人工皮革による手袋の手甲部の第２中手骨頭部と第３中手骨頭部を囲む領域に切欠部を設け、この切欠部を伸縮性のある伸縮片で縫合してなる運動用手袋を開示している。
【発明の開示】
【発明が解決しようとする課題】
【０００４】
前記通常のスポーツ用手袋は手の滑りを適当に止めることができるので素手の場合に比べて安定したスイングができる利点がある。
しかし、グリップの対象となるスポーツ用具のシャフトや把手と、手袋との間の密着性は未だ充分とはいえず、そのため往々にしてスイングに際してシャフトや把手が手からすっぽ抜けたり、スイング後のボールの弾道、飛距離、方向性などに安定性を欠く場合がある。
また、特許文献１〜３に記載された運動競技用の手袋は、概ね競技の際の汗や湿気に対処して滑りのないようにしているものにすぎず、いずれも手袋に対する処理や加工が頗る煩雑である。
本発明は上述したスポーツ用手袋の問題を解消した優れたスポーツ用手袋を提供せんとするものである。
【課題を解決するための手段】
【０００５】
本発明の請求項１は、掌の中央部位のくぼみに相当する手袋の平らな部分に、中央に向けて球面状に隆起したパッドを止着してなることを特徴とするスポーツ用手袋である。
請求項２は、前記パッドはエラストマー性物質で構成していることを特徴とする請求項１記載のスポーツ用手袋である。
【発明の効果】
【０００６】
本発明のスポーツ用手袋は、人の掌の中央部位には僅かではあるがくぼみがあり、この掌の中央部位のくぼみに相当する手袋の平らな部分にパッドを止着するという簡単な構成からなるものである。
このパッドは、中央に向けて球面状に隆起しており、手袋を着用した場合に、この球面状に隆起した面が前記掌の中央部位のくぼみに当接するように止着するものである。
これにより、たとえば、この手袋を着用してゴルフクラブのグリップ部を握ってスイングすると、掌に相当する手袋の中央に止着したパッドの部分がグリップと掌を押圧し、これが手に対するシャフトの密着度を高めて滑りを無くしてスイングに安定感が増し、ボールの弾道、方向性、飛距離等を著しく伸ばすことができるのである。
また、たとえば、この手袋で野球のバットによるバッティングをすると、掌に相当する手袋の中央に止着したパッドの部分の押圧によってグリップの際の密着を高めて滑りを無くし、シャープなスイングで的確なバッティングを行うことができる。
【発明を実施するための最良の形態】
【０００７】
本発明のスポーツ用手袋は、掌に該当する手袋の部位に止着するパッドとしてシリコンゴムや合成樹脂等のゴム状弾性を有するエラストマー性物質で構成されたパッドを使用する。
このパッドは、掌の平らな部分に形成されている僅かなくぼみに当接させるために、好ましくは直径が約３０ｍｍφの円形をなし、フラットな片面に対して他面が中央に向けてなだらかに盛り上がり、中央において約５ｍｍの厚みを保持して球面状に隆起した形状のものを使用する。
かゝるパッドは、そのまゝ手袋の所定の部位に止着してもよいが、布や皮革で被覆したり、パッドの直径よりもやゝ大きい直径約４０ｍｍφで、厚さ約０．５ｍｍの羊皮などの天然皮革や人工皮革などで作られた柔軟性のある円形の基布にパッドを止着し、この被覆体や基布を手袋の所定の部位に止着して使用することができる。
パッドは球面状に隆起した面が掌に向くようにして、手袋の裏側又は表側に縫い付けるか、あるいは接着剤による接着で一体的に取付けられ、また、面ファスナーなどを使用して手袋に対して着脱可能に止着してもよい。
また、手袋の所定の部位をあらかじめパッドを嵌め込むことができるように切り抜き、この切り抜いた穴にパッドを嵌め込んでパッドやパッドを縫い込んだ基布の周囲を手袋に縫い付けたり、接着したり、あるいは面ファスナーによる着脱可能に止着したりしてもよい。
かくして、前記パッドを止着した手袋は、着用によってパッドの隆起部分が掌のくぼみを補填してゴルフクラブや野球のバットのスイングに際して密着度を高めて安定したスイングを可能にする。
【実施例１】
【０００８】
図１、図２において、１は本発明のスポーツ用手袋、２は手袋主体、３はパッドであり、４はパッド３を保持する基布である。
手袋主体２は柔軟な薄手の皮製で、掌中央部位のくぼみに相当する手袋主体２の平らな部分中央に基布４に保持されたパッド３が球面状に隆起した面が掌に向くように止着されている。
基布４は直径が約４０ｍｍ、厚みが約０．５ｍｍの円形の柔軟性に富んだ羊皮などの素材を使用し、この羊皮の裏を表側にして直径が約３０ｍｍの円形のパッド３が縫い付けられている。
パッド３は、シリコンゴムで作られた円形状のもので、その一面はフラットで他面は周辺部分から中央部に向けてなだらかに盛り上がって球面状を形成している。
この盛り上がりの中央部の高さは約５ｍｍであり、前記のとおりこのパッド３はそのフラットな一面を基布４に載せて縫い付けられており、パッド３を縫い付けた基布４はパッド３の前記球面状の盛り上がり部分が掌中央部位のくぼみに相当する手袋主体２の平らな部分に掌中央部位のくぼみに当接するようにして縫い付けられる。
この場合のパッド３の手袋主体２への取り付けは、パッド３を取り付けた基布４をそのまゝ手袋主体２の所定の部位に当てがって基布４を縫い付けてよいが、手袋主体２の所定の部位をあらかじめパッド３を嵌め込むことができるように切り抜き、この切り抜き穴にパッド３を嵌め込んで基布４の周囲を手袋主体２に縫い付けてもよい。
図示しないが、パット３を取り付けた基布４を接着剤によって手袋主体２に止着してもよく、また、面ファスナーを使用してこの基布４を手袋主体２に着脱自在に取り付けてもよい。
かくして得られるスポーツ用手袋１は、着用により手袋主体２に止着したパッド３が掌の中央の平らな部分に存在するくぼみに接してスポーツ用具、すなわち、ゴルフにおけるクラブシャフト、野球におけるバット、テニスやバドミントンにおけるラケット等を正確に把持し、スイングの際の滑りを無くして安定感を増し、ボールにおける弾道、方向性、飛距離等を著しく伸ばすことが可能となるのである。
【産業上の利用可能性】
【０００９】
本発明のスポーツ用手袋は、従来使用されているスポーツ用手袋に比べて、シャフトや把手に対するグリップの力を格段に向上することができるので、シャフトや把手を握ってスイングする各種スポーツ用の手袋として高い有用性を有するものである。
【図面の簡単な説明】
【００１０】
【図１】本発明のスポーツ用手袋の一例を示した斜視図である。
【図２】図１のスポーツ用手袋の縦断面図である。
【図３】パッドの縦断面図である。
【図４】パッドの平面図である。
【符号の説明】
【００１１】
１      スポーツ用手袋
２      手袋主体
３      パッド
４      基布
【図１】
2005080743.tif 000003
【図２】
2005080743.tif 000004
【図３】
2005080743.tif 000005
【図４】
2005080743.tif 000006